(57)【要約】      （修正有）【課題】上げ下ろし式組み立て棺を提供する。【解決手段】棺の高さを分割した同形状の外枠２と、同形状の中枠３と、内枠４を設け、底板７と、棺の蓋１１を組み合わせた、上げ下ろし式組み立て棺であって、中枠３、外枠２を順番に持ち上げると棺が完成する。【選択図】図２
2013240549.tif 000002
【特許請求の範囲】
【請求項１】
棺（１）の高さを分割した同形状の外枠（２）と、同形状の中枠（３）と、内枠（４）を設け底板（７）と、棺の蓋（１１）を組み合わせた上げ下ろし式組み立て棺
【請求項２】
棺（１）高さを分割した同形状の外枠（２）を棺の蓋（１１）に利用する為に逆さまにして蓋用枠（１０）として利用する、蓋用枠（１０）の上の部分に平板（９）を固定する棺の蓋（１１）となる。上げ下ろし式組み立て棺
【請求項３】
同形状の板（１２）なので、色々な寸法取りが可能な。上げ下ろし式組み立て棺
【請求項４】
分割した同形状の外枠（２）を最初に平面上に置き、次に同形状の中枠（３）を同形状の外枠（２）の中に置き、次に底板（７）を固定した内枠（４）を中枠（３）の中に置く方式なので、色々な形状が可能である。例えば円形、楕円、三角形、台形等又高さも自由に設定できる。上げ下ろし式組み立て棺
【請求項５】
簡単な同形状の板（１２）なので、色々な材料で製作可能な。上げ下ろし式組み立て棺
【請求項６】
簡単な同形状の板（１２）の組み合わせ一本ずつ製作可能な。上げ下ろし式組み立て棺
【発明の詳細な説明】
【技術分野】
【０００１】この発明は、棺の高さを分割して分割した部分を上げ下ろしする事により完成する棺に関するものである。
【背景技術】
【０００２】従来、棺は高さが一定のものが大半であった、又従来の折りたたみ式棺にしても高さは一定のものが大半である。
【発明の概要】
【発明が解決しようとする課題】
【０００３】これは、次のような欠点があった。
従来、棺は一定の高さがあり、ご遺体を安置する時には、持ち上げて安置するしかなかった。ご遺体の体重がある時には非常に困難であり、又従来の棺に安置しても、上の方からしかご遺体を見る事しかできなかっので、参列した方が遠くからご遺体を見ながら、拝礼する事が出来なかった。又従来の棺を運搬する場合とが、在庫する場合には、広い場所を必要としていた。
この発明は、以上のような欠点をなくすために考案されたものである。
【発明の概要】
【発明が解決するための手段】
【０００４】１  棺（１）の高さを分割して、分割した同形状の枠（１３）を一枠ずつを内寸を小さくして製作する。
２  分割した同形状の枠（１３）の外側にあたるものを、外枠（２）として、分割した同形状の枠（１３）の内側を中枠（３）として、分割した同形状の枠（１３）の内側を内枠（４）とする。
３  分割した外枠（２）の内側の下の部分に中枠（２）と固定するための固定ダボ（５）を設ける。
４  次に分割した中枠（３）の外側の上に外枠（２）の固定ダボ（５）を固定するための固定穴（６）設け、中枠（３）の内側の下の部分に、内枠（４）と固定する固定ダボ（５）設ける。
５  次に分割した内枠（４）の外側の上に中枠（３）の固定ダボ（５）を固定するための固定穴（６）を設ける。
６  次に内枠（４）下の部分に棺（１）の底になる底板（７）を固定ダボ（５）にて固定する。
７  また蓋（８）の部分は、平板（９）とか、外枠（２）を逆さまにして、逆さまになった蓋用枠（１０）の上の部分に平板（９）を固定ダボ（５）にて固定する。
８  この逆さまになった蓋用枠（１０）を棺（１）の棺の蓋（１２）として利用する。
９  分割された、四方に組まれた外枠（２）中枠（３）内枠（４）の枠（１３）を一本ずつばらばらにして製作する、分割した同形状の枠（１４）を組み込む場合固定ダボ（５）にて固定する。
本発明は、以上の構成よりなる上げ下ろし式組み立て棺である。
【発明の効果】
【０００５】１  棺（１）を組み込む前の、外枠（２）と中枠（３）と内枠（４）を水平に置くことが出来るので高さが低く、ご遺体を持ち上げることなく棺（１）に安置が容易にできる。
２  棺（１）を組み込む前の、外枠（２）と中枠（３）と内枠（４）を水平になっているので安置したご遺体の全身が、どの方角からも見る事が出来る。
３  棺（１）を組み込む時、外枠（２）と中枠（３）持ち上げる事により、ご遺体の上半身を見せる事も、全身を隠す事も出来る。そうする事によりご遺族の方やご弔問の方がご遺体を見ながらお別れが長く出来る。
４  棺（１）は、外枠（２）と中枠（３）と内枠（４）が分かれていて、また各外枠（２）中枠（３）内枠（４）も一本ずつに分かれているので、小さく梱包でき、運搬する場合や在庫する場合には、場所が少なくすみ経済的である。
５  棺（１）は、外枠（２）と中枠（３）と内枠（４）が分かれていて、また各外枠（２）中枠（３）内枠（４）も一本ずつに分かれているので、長て方向の長さ切断する事により長さの調整も可能である。
６  棺（１）は、外枠（２）と中枠（３）と内枠（４）が分かれていて、また各外枠（２）中枠（３）内枠（４）も一本ずつに分かれており、各枠を組み込む場合ダボや穴はあらかじめ設けてあるので、搬送先でも専門科の人でなくても組み立てが出来便利である。
【図面の簡単な説明】
【０００６】
【図１】本発明の斜視図である。
【図２】本発明の棺の蓋を開けた斜視図である。
【図３】本発明の断面図である。
【図４】本発明の水平に降ろした断面図である。
【図５】本発明の拡大断面図である。
【図６】本発明の他の形状の斜視図である。
【発明を実施するための形態】
【０００７】以下、本発明を実施するための形態について説明する。
以下、同形状の外枠（２）、中枠（３）、内枠（４）の各板（７．８．９．１０．１１．１２．１３）の製作手順を説明する。
１  棺（１）の高さを分割した同形状の外枠（２）の分割した同形状の板（１２）の長さを設定して切断して、両端をとめに切断する。とめに切断した小口に同形状の板（１２）同士を止める為に、とめに切断っした片方には固定ダボ（５）ともう片方には固定穴（６）を設け、外枠（２）の同形状の板（１２）の内側にあたる面の下部分に、同形状の中枠（３）と固定する為の固定ダボ（５）を設ける。次に、同形状の中枠（３）は同形状の外枠（２）よりも、中枠（３）の同形状の板（１２）の長さを短く設定して切断して、両端をとめに切断する。とめに切断した小口に同形状の板（１２）同士を止める為に、とめに切断した片方には固定ダボ（５）と、もう片方には固定穴（６）を設け、中枠（２）の同形状の板（１２）の内側にあたる面の下部分に、同形状の内枠（３）と固定する為の固定ダボ（５）を設ける。次に、同形状の内枠（４）は同形状の中枠（３）よりも、内枠（４）の同形状の板（１２）板の長さを短く設定して切断して、両端をとめに切断する。とめに切断した小口に同形状の板（１３）同士を止める為に、とめに切断した片方には固定ダボ（５）と、もう片方には固定穴（６）を設け、内枠（３）の同形状の板（１２）の外側の上に、中枠（３）固定ダボ（５）用の固定穴（６）設け、内側にあたる面の下部分に底板（７）と固定する為の固定ダボ（５）を設ける。次に、棺（１）の棺の蓋（１１）の説明をする。
外枠（２）を棺の蓋（１１）に利用する為に、もう一つ造り逆さまにして蓋用枠（１０）として利用する、蓋用枠（１０）の上の部分に平板（９）を固定する固定ダボ（５）を設け平板（７）の部分に蓋用枠（１０）の固定する固定ダボ（５）用の固定穴（６）を設け、蓋用枠（１０）と平板（７）を固定すれば、棺（１）の棺の蓋（１１）となる。
以下、同形状の外枠（２）、中枠（３）、内枠（４）の組み立て手順を説明する。
１  分割した同形状の外枠（２）を最初に平面上に置き、次に同形状の中枠（３）を同形状の外枠（２）の中に置き、次に底板（７）を固定した内枠（４）を中枠（３）の中に置く、この時点では、外枠（２）と中枠（３）と内枠（４）が横から見ると水平になっている、この状態のままでも、ご遺体を安置する事ができ、ご遺体の全身をご遺族の方や弔問の方達が遠くから拝礼できる。
２  平面上に置いた外枠（２）と中枠（３）と一緒に持ち上げると、中枠（３）の設けてある固定用ダボ（５）が、下にある内枠（４）の外側に設けてある固定用穴（６）に入り、外枠（２）と固定されている中枠（３）が、内枠（４）と固定される。
この時点では、外枠（２）と中枠（３）が一段上に上がった状態であるので、ご遺体の上半身が未だ見る事ができる。
３  次に、外枠（２）だけを持ち上げると、外枠（２）の内側の設けてある固定用ダボ（５）が中枠（３）の外側に設けてある固定用穴（６）に入り外枠（２）と中枠（３）が固定される。平面上にある内枠（４）と一段あがった中枠（３）二段上がった外枠（２）固定され、棺の蓋（１１）を棺（１）の上に設置すれば棺（１）が完成である。
この時点でご遺体は棺（１）の中に安置されている。
【符号の説明】
【０００８】  １      棺
２      同形状の外枠
３      同形状の中枠
４      同形状の内枠
５      固定用ダボ
６      固定用穴
７      底板
８      蓋
９      平板
１０      蓋用枠
１１      棺の蓋
１２      分割した同形状の板
１３      分割した同形状の枠
【図１】
2013240549.tif 000003
【図２】
2013240549.tif 000004
【図３】
2013240549.tif 000005
【図４】
2013240549.tif 000006
【図５】
2013240549.tif 000007
【図６】
2013240549.tif 000008